(57)【要約】      （修正有）【課題】デュアルレンズモジュール駆動装置において精度を確保できない【解決手段】本発明はデュアルレンズモジュール駆動装置を提供し第一開口部及び第二開口部が設置された頂壁及び側壁を含むハウジングと台座と第一収容キャビティ及び第二収容キャビティが設置された支持フレームと第一レンズ鏡筒と第二レンズ鏡筒と第一レンズ群と第二レンズ群と第一フォーカスコイル群と第二フォーカスコイル群と第一永久磁石群と第二永久磁石群と回路基板と光学防振コイル群と第一クリップ群と第二クリップ群と並進懸架装置とターミナルとを備える。デュアルレンズモジュール駆動装置に２つのレンズ群が設けられ撮影範囲が広くなり２つのレンズ鏡筒が１つの支持フレームを共有し構造がコンパクトであり２つのフォーカスコイル群が設けられることにより撮影精度、光学防振コイル群が設けられ手振れ幅及び位置を効果的に補正し撮影効果及び解像度を向上させることができる。【選択図】図２
2019101403.tif 000002
【特許請求の範囲】
【請求項１】
デュアルレンズモジュール駆動装置であって、
第一開口部及び第二開口部が並列に設置された頂壁及び前記頂壁から延在する側壁を含むハウジングと、
前記ハウジングに合わせて収容空間を形成する台座と、
前記収容空間に収容され、前記第一開口部に対応して設置される第一収容キャビティ及び前記第二開口部に対応して設置される第二収容キャビティを含む支持フレームと、
それぞれ前記第一収容キャビティ及び前記第二収容キャビティに収容される第一レンズ鏡筒及び第二レンズ鏡筒と、
それぞれ前記第一レンズ鏡筒及び前記第二レンズ鏡筒内に組み立てられる第一レンズ群及び第二レンズ群と、
前記第一レンズ鏡筒の外側表面に周設され、前記第一レンズ鏡筒がオートーフォーカスするように駆動し又はオートーフォーカスにおいての光軸の変化を調整する第一フォーカスコイル群と、
前記第二レンズ鏡筒の外側表面に周設され、前記第二レンズ鏡筒がオートーフォーカスするように駆動し又はオートーフォーカスにおいての光軸の変化を調整する第二フォーカスコイル群と、
前記支持フレームに固定されて、前記第一フォーカスコイル群に対向して間隔を置いて設置される第一永久磁石群と、
前記支持フレームに固定されて、前記第二フォーカスコイル群に対向して間隔を置いて設置される第二永久磁石群と、
前記第一永久磁石群及び前記第二永久磁石群の下方に設置されて前記台座に固持される回路基板と、
前記第一永久磁石群及び前記第二永久磁石群の下方に設置されて前記回路基板に固持され、前記支持フレームが水平方向に移動するように駆動する光学防振コイル群と、
一端が前記支持フレームに固持され、他端が前記第一レンズ鏡筒に固持される第一クリップ群と、
一端が前記支持フレームに固持され、他端が前記第二レンズ鏡筒に固持される第二クリップ群と、
複数本の懸架ワイヤで構成され、複数本の前記懸架ワイヤがそれぞれ前記支持フレームの周囲に設置され、前記第一フォーカスコイル群又は前記第二フォーカスコイル群が光軸に垂直である平面内の任意の方向に小さな変位移動を行うように支持することに用いられ、前記懸架ワイヤが前記台座に固定される並進懸架装置と、を備えることを特徴とするデュアルレンズモジュール駆動装置。
【請求項２】
前記第一フォーカスコイル群に４つの第一フォーカスコイルが設けられ、４つの前記第一フォーカスコイルが前記第一レンズ鏡筒の外側表面に均一に周設され、前記第一永久磁石群に４つの第一駆動用永久磁石が設けられ、４つの前記第一駆動用永久磁石が４つの前記第一フォーカスコイルに一対一に対応して設置されることを特徴とする請求項１に記載のデュアルレンズモジュール駆動装置。
【請求項３】
前記第二フォーカスコイル群に４つの第二フォーカスコイルが設けられ、４つの前記第二フォーカスコイルが前記第二レンズ鏡筒の外側表面に均一に周設され、前記第二永久磁石群に４つの第二駆動用永久磁石が設けられ、４つの前記第二駆動用永久磁石が４つの前記第二フォーカスコイルに一対一に対応して設置されることを特徴とする請求項２に記載のデュアルレンズモジュール駆動装置。
【請求項４】
前記光学防振コイル群は４つの第一光学防振コイル群及び４つの前記第一光学防振コイル群に交差して設置される４つの第二光学防振コイル群を含むことを特徴とする請求項１に記載のデュアルレンズモジュール駆動装置。
【請求項５】
４つの前記第一光学防振コイル群が互いに直列又は並列に設置されることを特徴とする請求項４に記載のデュアルレンズモジュール駆動装置。
【請求項６】
４つの前記第二光学防振コイル群が互いに直列又は並列に設置されることを特徴とする請求項５に記載のデュアルレンズモジュール駆動装置。
【請求項７】
前記第一クリップ群は前記頂壁寄り第一上部クリップ及び前記台座寄り第一下部クリップを含み、前記第二クリップ群は前記頂壁寄り第二上部クリップ及び前記台座寄り第二下部クリップを含むことを特徴とする請求項１に記載のデュアルレンズモジュール駆動装置。
【請求項８】
複数本の前記懸架ワイヤが前記台座に固定され、前記第一収容キャビティ及び前記第二収容キャビティに対応するように前記支持フレームの周囲に設置されることを特徴とする請求項１に記載のデュアルレンズモジュール駆動装置。
【請求項９】
前記デュアルレンズモジュール駆動装置は、更に前記台座に設けられ、前記回路基板と外部との電気接続を実現するための複数のターミナルを備えることを特徴とする請求項１に記載のデュアルレンズモジュール駆動装置。
【発明の詳細な説明】
【技術分野】
【０００１】
本発明は、音響電気分野に関し、特にポータブル電子製品のデュアルレンズモジュール駆動装置に関する。
【背景技術】
【０００２】
スマートフォンの発展に伴い、人々のスマートフォン、特にスマートフォンの撮影機能への要求が高まっている。
【０００３】
単一のカメラは固定焦点距離を持つため、広角及び望遠視点を同時に両立することができず、デフォルトの広角レンズはマクロの風景の撮影に適するが、撮影対象から離れる距離がより長く且つ近づけない時は、イメージングが大幅に制限される。また、肖像のクローズアップ撮影を行う時には、被写界深度情報がないため、専門カメラのように背景をぼかすことで主体の撮影効果を強化することができず、携帯電話の撮影効果、撮影範囲及び解像度を向上させ、ポータブル撮影装置の機能性及び応用シーンを向上させるために、デュアルカメラ技術を用いたデュアルレンズモジュール駆動装置が研究使用されてきた。
【０００４】
従来技術におけるデュアルカメラ構造のデュアルレンズモジュール駆動装置は２つの単体カメラを利用するが、前記デュアルレンズモジュール駆動装置のモジュール段階にそれぞれ２つの独立した自動合焦装置を利用し、２つの独立した自動合焦装置はそれぞれ動作するため、デュアルカメラの撮影精度を確保できず、また、２つの単体カメラの防振機能を改善する必要もある。
【０００５】
それにより、上記技術的問題を解決するために、新しいデュアルレンズモジュール駆動装置を提供する必要がある。
【発明の概要】
【発明が解決しようとする課題】
【０００６】
本発明の目的は構造が簡単で、精度が高いデュアルレンズモジュール駆動装置を提供することである。
【課題を解決するための手段】
【０００７】
上記目的を実現するために、本発明はデュアルレンズモジュール駆動装置を提供し、前記デュアルレンズモジュール駆動装置は、第一開口部及び第二開口部が並列に設置された頂壁及び前記頂壁から延在する側壁を含むハウジングと、前記ハウジングに合わせて収容空間を形成する台座と、前記収容空間に収容され、前記第一開口部に対応して設置される第一収容キャビティ及び前記第二開口部に対応して設置される第二収容キャビティを含む支持フレームと、それぞれ前記第一収容キャビティ及び前記第二収容キャビティに収容される第一レンズ鏡筒及び第二レンズ鏡筒と、それぞれ前記第一レンズ鏡筒及び前記第二レンズ鏡筒内に組み立てられる第一レンズ群及び第二レンズ群と、前記第一レンズ鏡筒の外側表面に周設され、前記第一レンズ鏡筒がオートーフォーカスするように駆動し又はオートーフォーカスにおいて光軸が変化するように調整するための第一フォーカスコイル群と、前記第二レンズ鏡筒の外側表面に周設され、前記第二レンズ鏡筒がオートーフォーカスするように駆動し又はオートーフォーカスにおいて光軸が変化するように調整するための第二フォーカスコイル群と、前記支持フレームに固定されて、前記第一フォーカスコイル群に対向して間隔を置いて設置される第一永久磁石群と、前記支持フレームに固定されて、前記第二フォーカスコイル群に対向して間隔を置いて設置される第二永久磁石群と、前記第一永久磁石群及び前記第二永久磁石群の下方に設置されて前記台座に固持される回路基板と、前記第一永久磁石群及び前記第二永久磁石群の下方に設置されて前記回路基板に固持され、前記支持フレームが水平方向に移動するように駆動するための光学防振コイル群と、一端が前記支持フレームに固持され、他端が前記第一レンズ鏡筒に固持される第一クリップ群と、一端が前記支持フレームに固持され、他端が前記第二レンズ鏡筒に固持される第二クリップ群と、複数本の懸架ワイヤで構成され、複数本の前記懸架ワイヤがそれぞれ前記支持フレームの周囲に設置され、前記第一フォーカスコイル群又は前記第二フォーカスコイル群が光軸に垂直である平面内の任意の方向に小さな変位移動を行うように支持することに用いられ、前記懸架ワイヤが前記台座に固定される並進懸架装置と、を備える。
【０００８】
好ましくは、前記第一フォーカスコイル群に４つの第一フォーカスコイルが設けられ、それらが前記第一レンズ鏡筒の外側表面に均一に周設され、前記第一永久磁石群に４つの第一駆動用永久磁石が設けられ、４つの前記第一駆動用永久磁石が４つの前記第一フォーカスコイルに一対一に対応して設置される。
【０００９】
好ましくは、前記第二フォーカスコイル群に４つの第二フォーカスコイルが設けられ、それらが前記第二レンズ鏡筒の外側表面に均一に周設され、前記第二永久磁石群に４つの第二駆動用永久磁石が設けられ、４つの前記第二駆動用永久磁石が４つの前記第二フォーカスコイルに一対一に対応して設置される。
【００１０】
好ましくは、前記光学防振コイル群は４つの第一光学防振コイル群及び４つの前記第一光学防振コイル群に交差して設置される４つの第二光学防振コイル群を含む。
【００１１】
好ましくは、４つの前記第一光学防振コイル群が互いに直列又は並列に設置される。
【００１２】
好ましくは、４つの前記第二光学防振コイル群が互いに直列又は並列に設置される。
【００１３】
好ましくは、前記第一クリップ群は前記頂壁寄り第一上部クリップ及び前記台座寄り第一下部クリップを含み、前記第二クリップ群は前記頂壁寄り第二上部クリップ及び前記台座寄り第二下部クリップを含む。
【００１４】
好ましくは、複数本の前記懸架ワイヤが前記台座に固定され、前記第一収容キャビティ及び前記第二収容キャビティに対応するように前記支持フレームの周囲に設置される。
【００１５】
好ましくは、前記デュアルレンズモジュール駆動装置は更に前記台座に設けられ、前記回路基板と外部との電気接続を実現するための複数のターミナルを備える。
【発明の効果】
【００１６】
従来技術に比べて、本発明のデュアルレンズモジュール駆動装置には、前記第一レンズ群及び前記第二レンズ群が設けられ、撮影範囲が広くなり、前記支持フレームに前記第一収容キャビティ及び前記第二収容キャビティを並列に設置し、それらが前記第一レンズ鏡筒及び前記第二レンズ鏡筒を収容することに用いられ、前記第一レンズ鏡筒及び前記第二レンズ鏡筒が前記支持フレームを共有し、構造がコンパクトであり、前記デュアルレンズモジュール駆動装置全体の長さを短縮し、前記デュアルレンズモジュール駆動装置に前記第一フォーカスコイル群及び前記第二フォーカスコイル群が設けられ、２つのレンズ鏡筒がオートーフォーカスするように駆動し又はオートーフォーカスの過程において光軸が変化するように調整することで、撮影精度を向上させ、前記デュアルレンズモジュール駆動装置には、更に前記光学防振コイル群が設けられ、それは第一光学防振コイル群及び第二光学防振コイル群を含み、前記第一光学防振コイル群が互いに直列又は並列に設置され、前記第二光学防振コイル群が互いに直列又は並列に設置され、前記第一収容キャビティ及び前記第二収容キャビティが水平方向に同時に移動することにより、支持フレームの移動によって２つのレンズ鏡筒が移動するように駆動し又は振動によるイメージングシステムにおける画像シフトに対して位置補償を行い、光軸偏向の防振補償及び光軸並進の防振補償が共同作用し、手振れ位置及び幅を最大限に効果的に補正することで、撮影効果及び解像度を向上させることができる。
【図面の簡単な説明】
【００１７】
本発明の実施例における技術的解決手段をより明確に説明するために、以下、実施例の記述において必要な図面を用いて簡単に説明を行うが、当然ながら、以下に記載する図面は本発明の実施例の一部であって、当業者であれば、創造的な労力を要することなく、これらの図面に基づいて他の図面に想到しうる。
【００１８】
【図１】図１は本発明に係るダブルレンズモジュールヘッド駆動装置の斜視図である。
【図２】図２は本発明に係るダブルレンズモジュールヘッド駆動装置の立体構造分解図である。
【図３】図３は図１におけるＡ−Ａ線に沿う断面図である。
【図４】図４は光学防振コイル群及び回路基板の斜視図である。
【発明を実施するための形態】
【００１９】
以下、本発明の実施例における図面を参照しながら、本発明の実施例における技術的解決手段を明確且つ完全に説明し、当然ながら、説明される実施例は本発明の実施例の一部であり、実施例のすべてではない。本発明の実施例に基づき、当業者が進歩性のある労働を必要とせずに得られるほかの実施例は、いずれも本発明の保護範囲に属する。
【００２０】
図１−３に示すように、図１は本発明に係るダブルレンズモジュールヘッド駆動装置の斜視図であり、図２は本発明に係るダブルレンズモジュールヘッド駆動装置の立体構造分解図であり、図３は図１におけるＡ−Ａ線に沿う断面図である。本発明に係るデュアルレンズモジュール駆動装置１００は、ハウジング１０、台座１１、収容空間１２、支持フレーム１３、第一レンズ鏡筒１４、第二レンズ鏡筒１５、第一レンズ群１６、第二レンズ群１７、第一フォーカスコイル群１８、第二フォーカスコイル群１９、第一永久磁石群２０、第二永久磁石群２１、回路基板２２、光学防振コイル群２３、第一クリップ群２４、第二クリップ群２５、並進懸架装置２６及びターミナル２７を備える。
【００２１】
前記ハウジング１０は頂壁１０１及び前記頂壁１０１から周囲へ延在する側壁１０２を含み、前記頂壁１０１にその長辺方向に沿って第一開口部１０１０及び第二開口部１０１１が並列に設置される。
【００２２】
前記台座１１が前記ハウジング１０に合わせて収容空間１２を形成する。
【００２３】
前記支持フレーム１３が前記収容空間１２に収容され、前記第一開口部１０１０に対応して設置される第一収容キャビティ１３０及び前記第二開口部１０１１に対応して設置される第二収容キャビティ１３１を含む。
【００２４】
前記第一レンズ鏡筒１４が前記第一収容キャビティ１３０に設けられ、前記第二レンズ鏡筒１５が前記第二収容キャビティ１３１に設けられ、前記第一レンズ鏡筒１４及び前記第二レンズ鏡筒１５がそれぞれ前記第一収容キャビティ１３０及び前記第二収容キャビティ１３１内に光軸方向に沿って移動できる。
【００２５】
前記第一レンズ群１６が前記第一レンズ鏡筒１４内に組み立てられ、前記第二レンズ群１７が前記第二レンズ鏡筒１５内に組み立てられ、二組のレンズは物体を撮影する時に映像を取得することに用いられる。
【００２６】
前記第一レンズ鏡筒１４及び前記第二レンズ鏡筒１５が前記支持フレーム１３を共有し、構造がコンパクトであり、前記デュアルレンズモジュール駆動装置１００全体の長さを短縮し、有効な空間を十分に利用できる。
【００２７】
前記第一フォーカスコイル群１８には４つの第一フォーカスコイル１８０が設けられており、前記第一フォーカスコイル群１８に８つの第一フォーカスコイル１８０が設けられてもよく、それらが前記第一レンズ鏡筒１４の外側表面に均一に周設され、前記第一レンズ鏡筒１４がオートーフォーカスするように駆動し又はオートーフォーカスの過程において光軸が変化するように調整することに用いられる。
【００２８】
前記第二フォーカスコイル群１９の第二フォーカスコイル１９０の個数は前記第一フォーカスコイル群１８の第一フォーカスコイル１８０の個数と同じであり、４つの第二フォーカスコイル１９０が設けられており、また８つの第二フォーカスコイル１９０が設けられてもよく、それらが前記第二レンズ鏡筒１５の外側表面に均一に周設され、前記第二レンズ鏡筒１５がオートーフォーカスするように駆動し又はオートーフォーカスの過程において光軸が変化するように調整することに用いられる。
【００２９】
前記第一永久磁石群２０の第一永久磁石２０１の個数は前記第一フォーカスコイル群１８の第一フォーカスコイル１８０の個数と同じであり、４つの第一永久磁石２０１が設けられており、また８つの第一永久磁石２０１が設けられてもよく、それらが前記支持フレーム１３に固定されて、前記第一フォーカスコイル群１８に一対一に対応して設置され、前記第一フォーカスコイル１８０が前記第一永久磁石２０１に対応して合わせて光軸方向に沿った駆動力を発生させ、前記第一レンズ鏡筒１４が光軸方向に沿って移動するように駆動する。
【００３０】
前記第二永久磁石群２１の第二永久磁石２１０の個数は前記第二フォーカスコイル群１９の第二フォーカスコイル１９０の個数と同じであり、４つの第二永久磁石２１０が設けられており、また８つの第二永久磁石２１０が設けられてもよく、それらが前記支持フレーム１３に固定されて、前記第二フォーカスコイル群１９に一対一に対応して設置され、前記第二フォーカスコイル１９０が前記第二永久磁石２１０に対応して合わせて光軸方向に沿った駆動力を発生させ、前記第二レンズ鏡筒１５が光軸方向に沿って移動するように駆動する。
【００３１】
ただし、前記第一フォーカスコイル群１８及び前記第一永久磁石群２０の位置を交換してもよく、前記第二フォーカスコイル群１９及び前記第二永久磁石群２１の位置を交換してもよく、これは当業者が容易に想到し得るものであり、その原理はいずれも同じであり、本発明の保護範囲に属すべきである。
【００３２】
前記回路基板２２は前記第一永久磁石群２０及び前記第二永久磁石群２１の下方に設置されて前記台座１１に固持され、前記デュアルレンズモジュール駆動装置１００の回路接続に用いられる。
【００３３】
図２及び図４に示すように、図４は光学防振コイル群２３及び回路基板２２の斜視図であり、前記光学防振コイル群２３が前記第一永久磁石群２０及び前記第二永久磁石群２１の下方に設置されて前記回路基板２２に固持され、前記光学防振コイル群２３は４つの第一光学防振コイル群２３０及び４つの前記第一光学防振コイル群２３０に交差して設置される４つの第二光学防振コイル群２３１を含み、４つの前記第一光学防振コイル群２３０が互いに直列又は並列に設置され、４つの前記第二光学防振コイル群２３１が互いに直列又は並列に設置されることにより、第一光学防振コイル群２３０及び第二光学防振コイル群２３１に電磁力を同時に発生させ、前記支持フレーム１３が水平方向に移動するように駆動することに用いられ、二組の電磁力作用下で前記第一収容キャビティ１３０及び第二収容キャビティ１３１が同じ方向に沿って同じ幅移動することにより、支持フレームの移動によって第一レンズ鏡筒１４及び第二レンズ鏡筒１５が移動するように駆動し又は振動によるイメージングシステムにおける画像シフトに対して位置補償を行うことで、撮影効果及び解像度を向上させる。
【００３４】
前記第一クリップ群２４は一端が前記支持フレーム１３に固持され、他端が前記第一レンズ鏡筒１４に固持され、前記ハウジング１０側寄り第一上部クリップ２４０及び前記台座１１寄り第一下部クリップ２４１を含み、前記第一レンズ鏡筒１４が光軸方向に移動するための弾力及び回復力を提供することに用いられる。
【００３５】
前記第二クリップ群２５は一端が前記支持フレーム１３に固持され、他端が前記第二レンズ鏡筒１５に固持され、前記ハウジング１０側寄り第二上部クリップ２５０及び前記台座１１寄り第二下部クリップ２５１を含み、前記第二レンズ鏡筒１５が光軸方向に移動するための弾力及び回復力を提供することに用いられる。
【００３６】
前記並進懸架装置２６は複数本の懸架ワイヤ２６１で構成され、複数本の前記懸架ワイヤ２６１が前記台座１１に固定され、複数本の前記懸架ワイヤ２６１が前記第一収容キャビティ１３０及び前記第二収容キャビティ１３１に対応するように前記支持フレーム１３の周囲に設置され、前記第一フォーカスコイル群１８又は前記第二フォーカスコイル群１９が光軸に垂直である平面内の任意の方向に小さな変位移動を行うように支持することに用いられる。
【００３７】
前記ターミナル２７は前記台座１１に設けられ、前記回路基板２２と外部との電気接続を実現する。
【００３８】
従来技術に比べて、本発明のデュアルレンズモジュール駆動装置１００には、前記第一レンズ群１６及び前記第二レンズ群１７が設けられ、撮影範囲が広くなり、前記支持フレーム１３に前記第一収容キャビティ１３０及び前記第二収容キャビティ１３１を並列に設置し、それらが前記第一レンズ鏡筒１４及び前記第二レンズ鏡筒１５を収容することに用いられ、前記第一レンズ鏡筒１４及び前記第二レンズ鏡筒１５が前記支持フレーム１３を共有し、構造がコンパクトであり、前記デュアルレンズモジュール駆動装置１００全体の長さを短縮し、前記デュアルレンズモジュール駆動装置１００に前記第一フォーカスコイル群１８及び前記第二フォーカスコイル群１９が設けられ、前記第一レンズ鏡筒１４及び前記第二レンズ鏡筒１５がオートーフォーカスするように駆動し又はオートーフォーカスの過程において光軸が変化するように調整することで、撮影精度を向上させ、前記デュアルレンズモジュール駆動装置１００には、更に前記光学防振コイル群２３が設けられ、それは第一光学防振コイル群２３０及び第二光学防振コイル群２３１を含み、前記第一光学防振コイル群２３０が互いに直列又は並列に設置され、前記第二光学防振コイル群２３１が互いに直列又は並列に設置され、前記第一収容キャビティ１３０及び前記第二収容キャビティ１３１が水平方向に同時に移動することにより、支持フレームの移動によって２つのレンズ鏡筒が移動するように駆動し又は振動によるイメージングシステムにおける画像シフトに対して位置補償を行い、光軸偏向の防振補償及び光軸並進の防振補償が共同作用し、手振れ幅及び位置を最大限に効果的に補正することで、撮影効果及び解像度を向上させることができる。
【００３９】
以上の説明は本発明の実施形態であり、ただし、当業者であれば、本発明の要旨を逸脱せずに、更に改良することができるが、これらはいずれも本発明の保護範囲に属すべきである。
【図１】
2019101403.tif 000003
【図２】
2019101403.tif 000004
【図３】
2019101403.tif 000005
【図４】
2019101403.tif 000006
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
デュアルレンズモジュール駆動装置であって、
第一開口部及び第二開口部が並列に設置された頂壁及び前記頂壁から延在する側壁を含むハウジングと、
前記ハウジングに合わせて収容空間を形成する台座と、
前記収容空間に収容され、前記第一開口部に対応して設置される第一収容キャビティ及び前記第二開口部に対応して設置される第二収容キャビティを含む支持フレームと、
それぞれ前記第一収容キャビティ及び前記第二収容キャビティに収容される第一レンズ鏡筒及び第二レンズ鏡筒と、
それぞれ前記第一レンズ鏡筒及び前記第二レンズ鏡筒内に組み立てられる第一レンズ群及び第二レンズ群と、
前記第一レンズ鏡筒の外側表面に周設され、前記第一レンズ鏡筒がオートーフォーカスするように駆動し又は前記第一レンズ鏡筒が光軸方向に沿って移動するように駆動する第一フォーカスコイル群と、
前記第二レンズ鏡筒の外側表面に周設され、前記第二レンズ鏡筒がオートーフォーカスするように駆動し又は前記第二レンズ鏡筒が光軸方向に沿って移動するように駆動する第二フォーカスコイル群と、
前記支持フレームに固定されて、前記第一フォーカスコイル群に対向して間隔を置いて設置される第一永久磁石群と、
前記支持フレームに固定されて、前記第二フォーカスコイル群に対向して間隔を置いて設置される第二永久磁石群と、
前記第一永久磁石群及び前記第二永久磁石群の下方に設置されて前記台座に固持される回路基板と、
前記第一永久磁石群及び前記第二永久磁石群の下方に設置されて前記回路基板に固持され、前記支持フレームが水平方向に移動するように駆動する光学防振コイル群と、
一端が前記支持フレームに固持され、他端が前記第一レンズ鏡筒に固持される第一クリップ群と、
一端が前記支持フレームに固持され、他端が前記第二レンズ鏡筒に固持される第二クリップ群と、
複数本の懸架ワイヤで構成され、複数本の前記懸架ワイヤがそれぞれ前記支持フレームの周囲に設置され、前記第一フォーカスコイル群又は前記第二フォーカスコイル群が光軸に垂直である平面内の任意の方向に小さな変位移動を行うように支持することに用いられ、前記懸架ワイヤが前記台座に固定される並進懸架装置と、を備え、
前記第一フォーカスコイル群又は前記第二フォーカスコイル群におけるフォーカスコイルの巻回方向は前記レンズ鏡筒の円周方向に垂直することを特徴とするデュアルレンズモジュール駆動装置。
【請求項２】
前記第一フォーカスコイル群に４つの第一フォーカスコイルが設けられ、４つの前記第一フォーカスコイルが前記第一レンズ鏡筒の外側表面に均一に周設され、前記第一永久磁石群に４つの第一駆動用永久磁石が設けられ、４つの前記第一駆動用永久磁石が４つの前記第一フォーカスコイルに一対一に対応して設置されることを特徴とする請求項１に記載のデュアルレンズモジュール駆動装置。
【請求項３】
前記第二フォーカスコイル群に４つの第二フォーカスコイルが設けられ、４つの前記第二フォーカスコイルが前記第二レンズ鏡筒の外側表面に均一に周設され、前記第二永久磁石群に４つの第二駆動用永久磁石が設けられ、４つの前記第二駆動用永久磁石が４つの前記第二フォーカスコイルに一対一に対応して設置されることを特徴とする請求項２に記載のデュアルレンズモジュール駆動装置。
【請求項４】
前記光学防振コイル群は４つの第一光学防振コイル群及び４つの前記第一光学防振コイル群に交差して設置される４つの第二光学防振コイル群を含むことを特徴とする請求項１に記載のデュアルレンズモジュール駆動装置。
【請求項５】
４つの前記第一光学防振コイル群が互いに直列又は並列に設置されることを特徴とする請求項４に記載のデュアルレンズモジュール駆動装置。
【請求項６】
４つの前記第二光学防振コイル群が互いに直列又は並列に設置されることを特徴とする請求項５に記載のデュアルレンズモジュール駆動装置。
【請求項７】
前記第一クリップ群は前記頂壁寄り第一上部クリップ及び前記台座寄り第一下部クリップを含み、前記第二クリップ群は前記頂壁寄り第二上部クリップ及び前記台座寄り第二下部クリップを含むことを特徴とする請求項１に記載のデュアルレンズモジュール駆動装置。
【請求項８】
複数本の前記懸架ワイヤが前記台座に固定され、前記第一収容キャビティ及び前記第二収容キャビティに対応するように前記支持フレームの周囲に設置されることを特徴とする請求項１に記載のデュアルレンズモジュール駆動装置。
【請求項９】
前記デュアルレンズモジュール駆動装置は、更に前記台座に設けられ、前記回路基板と外部との電気接続を実現するための複数のターミナルを備えることを特徴とする請求項１に記載のデュアルレンズモジュール駆動装置。